(57)【要約】      （修正有）【課題】操作が安全かつ便利で、構造が簡単な安全傘ろくろの嵌合装置を提供する。【解決手段】安全傘ろくろの嵌合装置は、上ろくろ本体１と下ろくろ本体２と中棒３とを備える。上ろくろ本体１には一体として成型された弾性嵌合部材１１が下方に延伸しており、下ろくろ本体２はガイドスリーブ２１と引きスリーブ２２からなり、ガイドスリーブ２１は角孔２１１を有し、角孔２１１の外側にガイドスリーブ２１と一体として成型された弾性押し片２１２が設けられ、引きスリーブ２１２にはさらに角孔２１１と対応する引きスリーブ孔２２１が設けられ、引きスリーブ孔２２１の上端斜面によりガイドスリーブ２１の内孔が遮られる。【選択図】図１
0003188199.tif 000002
【実用新案登録請求の範囲】
【請求項１】
安全傘ろくろの嵌合装置であって、
前記安全傘ろくろの嵌合装置は、上ろくろ本体（１）と、下ろくろ本体（２）と、中棒（３）と、を備え、
前記上ろくろ本体（１）には一体として成型された弾性嵌合部材（１１）が下方に延伸しており、前記下ろくろ本体（２）はガイドスリーブ（２１）と引きスリーブ（２２）からなり、前記ガイドスリーブ（２１）は角孔（２１１）を有し、該角孔（２１１）の外側にガイドスリーブ（２１）と一体として成型された弾性押し片（２１２）が設けられ、前記引きスリーブ（２２）にはさらに角孔（２１１）と対応する引きスリーブ孔（２２１）が設けられ、前記引きスリーブ孔（２２1）の上端斜面によりガイドスリーブ（２１）の内孔が遮られる
ことを特徴とする安全傘ろくろの嵌合装置。
【請求項２】
請求項１に記載の安全傘ろくろの嵌合装置であって、
前記弾性嵌合部材（１１）の頭端部と中棒（３）とは４５°の斜角をなす
ことを特徴とする安全傘ろくろの嵌合装置。
【請求項３】
請求項２に記載の安全傘ろくろの嵌合装置であって、
前記弾性押し片（２１２）の端部と角孔（２１１）とは４５°の斜角をなす
ことを特徴とする安全傘ろくろの嵌合装置。
【請求項４】
請求項１〜３のいずれか１項に記載の安全傘ろくろの嵌合装置であって、
前記上ろくろ本体（１）内には中棒（３）を固定する連結軸（１２）が設けられ、該連結軸（１２）と上ろくろ本体（１）に固接された二つの着脱可能係止部材（１３）とが係止する
ことを特徴とする安全傘ろくろの嵌合装置。
【請求項５】
請求項１〜３のいずれか１項に記載の安全傘ろくろの嵌合装置であって、
前記上ろくろ本体（１）と中棒（３）とはピン（５）により固定して連結される
ことを特徴とする安全傘ろくろの嵌合装置。
【考案の詳細な説明】
【技術分野】
【０００１】
本考案は、日常用傘に関し、特に、安全傘ろくろの嵌合装置に関する。
【背景技術】
【０００２】
公知の傘のろくろの下ろくろは、傘を開くときには中棒において弾き出される定位ブロックにより該下ろくろが中棒に係止されることによって傘が開き、傘を閉じるときには該定位ブロックを内側に押して定位ブロックによる下ろくろへの係止を解除することによって下ろくろを引き下げて傘を閉じる。
【考案の概要】
【考案が解決しようとする課題】
【０００３】
上記傘のろくろ定位構造は、開傘、閉傘には有利であるが、該定位ブロックが金属板であるため、定位ブロックを手で押圧する瞬間にろくろも同時に下方に摺動して、手を離すことが間に合わず、手が定位ブロック及びろくろに挟まれて使用者が怪我をすることもよくあり、使用者の操作上大変不便である。
【０００４】
そこで、本考案は、上記課題を克服し、構造が簡単で、操作が安全な安全傘ろくろの嵌合装置を提供することを目的とする。
【課題を解決するための手段】
【０００５】
上記課題を解決するため、本考案に係る安全傘ろくろの嵌合装置は、上ろくろ本体と、下ろくろ本体と、中棒と、を備え、前記上ろくろ本体には一体として成型された弾性嵌合部材が下方に延伸しており、前記下ろくろ本体はガイドスリーブと引きスリーブからなり、前記ガイドスリーブは角孔を有し、該角孔の外側にガイドスリーブと一体として成型された弾性押し片が設けられ、前記引きスリーブにはさらに角孔と対応する引きスリーブ孔が設けられ、前記引きスリーブ孔の上端斜面によりガイドスリーブの内孔が遮られる。
【０００６】
また、前記弾性嵌合部材の頭端部と中棒とは４５°の斜角をなすことが好ましい。
【０００７】
また、前記弾性押し片の端部と角孔とは４５°の斜角をなすことが好ましい。
【０００８】
また、前記上ろくろ本体内には中棒を固定する連結軸が設けられ、該連結軸と上ろくろ本体に固接された二つの着脱可能係止部材とが係止することが好ましい。
【０００９】
また、前記上ろくろ本体と中棒とはピンにより固定して連結されることが好ましい。
【考案の効果】
【００１０】
本考案に係る安全傘ろくろの嵌合装置によれば、傘を開くときには、引きスリーブを押し上げることにより、下ろくろ本体の弾性押し片が上ろくろ本体の弾性嵌合部材に押し込まれて開いて、弾性嵌合部材が下ろくろ本体の角孔内に嵌入して、上ろくろ本体と下ろくろ本体が嵌合してセルフロックし、傘を閉じるときには、引きスリーブを引き下げさえすれば、引きスリーブ孔の上端斜面が弾性嵌合部材と下ろくろ本体を離脱させて、上ろくろ本体と下ろくろ本体との嵌合を自動的に分離させる。これにより、中棒に孔を空ける又は弓片を設けて定位する従来の傘の開閉習慣を変えることができ、操作が安全かつ便利になり、構造が簡単になる等の優れた効果が得られる。
【図面の簡単な説明】
【００１１】
【図１】開傘状態における本考案の実施例１に係る安全傘ろくろの嵌合装置の構造を示す断面図である。
【図２】閉傘状態における本考案の実施例１に係る安全傘ろくろの嵌合装置の構造を示す断面図である。
【図３】もう一つの閉傘状態における本考案の実施例１に係る安全傘ろくろの嵌合装置の構造を示す断面図である。
【図４】本考案の実施例２に係る安全傘ろくろの嵌合装置の構造を示す断面図である。
【考案を実施するための形態】
【００１２】
以下では、図面及び具体的な実施例に基づいて本考案についてさらに説明する。
【００１３】
＜実施例１＞
図１、図２及び図３に示すように、本実施例１に係る安全傘ろくろの嵌合装置は、上ろくろ本体１と、下ろくろ本体２と、中棒３と、を備え、前記上ろくろ本体１には一体として成型された弾性嵌合部材１１が下方に延伸しており、前記弾性嵌合部材１１の頭端部と中棒３とは４５°の斜角をなし、前記下ろくろ本体２はガイドスリーブ２１と引きスリーブ２２からなり、前記ガイドスリーブ２１は角孔２１１を有し、該角孔２１１の外側にガイドスリーブ２１と一体として成型された弾性押し片２１２が設けられ、前記弾性押し片２１２の端部と角孔２１１とも４５°の斜角をなし、前記引きスリーブ２２にはさらに角孔２１１と対応する引きスリーブ孔２２１が設けられ、前記引きスリーブ孔２２1の上端斜面によりガイドスリーブ２１の内孔が遮られる。また、前記上ろくろ本体１内には中棒３を固定するための連結軸１２が設けられ、連結軸１２と中棒３とは中棒３の外周面に凹点を設けることによって連結軸１２を固定し、該連結軸１２と上ろくろ本体１に固接された二つの着脱可能係止部材１３とが固定係止し、着脱可能係止部材１３は傘骨縛り糸により傘骨とともに上ろくろ本体１に縛られる。
【００１４】
開傘時に、下ろくろ本体２の引きスリーブ２２を押し上げると、傘骨の自重と傘布の張力により下ろくろ本体２と引きスリーブ２２が密接に当接し、上ろくろ本体１から下方に延伸している弾性嵌合部材１１と下ろくろ本体２が接触したとき、弾性嵌合部材１１と中棒３とが４５°の斜角をなすため、弾性嵌合部材１１が下ろくろ本体２の外周表面に沿って下方に移動する。そして、弾性嵌合部材１１が下ろくろ本体２と一体として成型された弾性押し片２１２に到達したとき、弾性押し片２１２が弾性嵌合部材１１に押し込まれて開いて、弾性嵌合部材１１が下ろくろ本体２の角孔２１１に嵌入する。これにより、弾性嵌合部材１１と下ろくろ本体２が嵌合するとともに、弾性押し片２１２が弾性嵌合部材１１を押さえて、セルフロックが実現される。
【００１５】
閉傘時に、下ろくろ本体２の引きスリーブ２２を引き下げると、引きスリーブ２２及び下ろくろ本体２の角孔２１１と対応する引きスリーブ孔２２１の上端斜面が弾性嵌合部材１１と下ろくろ本体２を離脱させるとともに、下ろくろ本体２に設けられた弾性押し片２１２も押し込まれて開いて、閉傘作動が実現される。
【００１６】
＜実施例２＞
図４に示すように、本考案の実施例２に係る安全傘ろくろの嵌合装置は、上ろくろ本体１と、下ろくろ本体２と、中棒３と、を備え、前記上ろくろ本体１には一体として成型された弾性嵌合部材１１が下方に延伸しており、前記弾性嵌合部材１１の頭端部と中棒３とは４５°の斜角をなし、前記下ろくろ本体２はガイドスリーブ２１と引きスリーブ２２からなり、前記ガイドスリーブ２１は角孔２１１を有し、該角孔２１１の外側にガイドスリーブ２１と一体として成型された弾性押し片２１２が設けられ、前記弾性押し片２１２の端部と角孔２１１とも４５°の斜角をなし、前記引きスリーブ２２にはさらに角孔２１１と対応する引きスリーブ孔２２１が設けられ、前記引きスリーブ孔２２1の上端斜面によりガイドスリーブ２１の内孔が遮られる。また、前記上ろくろ本体１と中棒３とはピン５により固定して連結される。
【００１７】
以上の記載は、本考案の実施例の一の例に過ぎず、本考案の実施の範囲はこれにより限定されるものではない。本考案の実用新案登録請求の範囲に基づいて行われた均等変更及び修正は、全て本考案の範囲に含まれる。
【符号の説明】
【００１８】
１      上ろくろ本体
１１    弾性嵌合部材
１２    連結軸
１３    着脱可能係止部材
２      下ろくろ本体
２１    ガイドスリーブ
２１１  角孔
２１２  弾性押し片
２２    引きスリーブ
２２１  引きスリーブ孔
３      中棒
５      ピン
【図１】
0003188199.tif 000003
【図２】
0003188199.tif 000004
【図３】
0003188199.tif 000005
【図４】
0003188199.tif 000006